(57)【要約】医療専門家が着用するヘッドカバーを提供する。このヘッドカバーは、サージカルキャップ部と、ブーファントキャップ部とを備える。サージカルキャップ部は、上面と、上面にシームを介して固定されたサイドパネルとを含む。さらに、このブーファントキャップ部は、サイドパネルの後部に固定されている。このブーファントキャップ部は、未展開状態でサイドパネルの後部に押し付けられるように保持され、着用者の髪を収容するためにサイドパネルの後部から展開可能である。そのため、このヘッドカバーは、ブーファントキャップ部が着用者の頭部全体を覆っていないにも関わらず、着用者が必要に応じて髪をブーファントキャップ部の内側で保護することを可能にしており、ヘッドカバー内にこもる熱を最小化し、着用者の快適度を増加する。【選択図】図１２
2019532190.tif 000002
【特許請求の範囲】
【請求項１】
ヘッドカバーであって、
サージカルキャップ部と、
ブーファントキャップ部とを備え、
前記サージカルキャップ部は、
上面と、前記上面にシームを介して固定されたサイドパネルとを含み、
前記ブーファントキャップ部は、前記サイドパネルの後部に固定され、
前記ブーファントキャップ部はさらに、未展開状態で前記サイドパネルの前記後部に押し付けられるように保持され、着用者の髪を収容するために前記サイドパネルの前記後部から展開可能であることを特徴とするヘッドカバー。
【請求項２】
請求項１に記載のヘッドカバーであって、
前記サイドパネルは、前記上面の外周部を完全に取り囲む連続した横断面を有する部材であり、
さらに、前記サイドパネルの下側縁部に、連続プリーツ、伸縮バンド、またはその両方が隣接して設けられていることを特徴とするヘッドカバー。
【請求項３】
請求項２に記載のヘッドカバーであって、
前記連続プリーツ、前記伸縮バンド、またはその両方は、前記サイドパネルの前記後部、または前記サイドパネルの耳部の下側に設けられていることを特徴とするヘッドカバー。
【請求項４】
請求項３に記載のヘッドカバーであって、
前記連続プリーツ、前記伸縮バンド、またはその両方は、前記サイドパネルの前記後部に設けられており、
さらに、前記ブーファントキャップ部は、前記伸縮バンド、前記連続プリーツ、またはその両方の上側に距離Ｄをおいて配置されていることを特徴とするヘッドカバー。
【請求項５】
請求項４に記載のヘッドカバーであって、
前記距離Ｄは、約０．２５ｃｍ〜約６ｃｍの範囲であることを特徴とするヘッドカバー。
【請求項６】
請求項１〜５のいずれかに記載のヘッドカバーであって、
前記ヘッドカバーの前記ブーファントキャップ部が展開されるまで、前記ヘッドカバーの前記ブーファントキャップ部を外部フラップが収容していることを特徴とするヘッドカバー。
【請求項７】
請求項１〜６のいずれかに記載のヘッドカバーであって、
前記サイドパネルは、第一端部と第二端部との間に延在し、
前記第一端部または前記第二端部に締結手段が配置されていることを特徴とするヘッドカバー。
【請求項８】
請求項７に記載のヘッドカバーであって、
前記締結手段は、フック、ループ、またはそれらの組み合わせを有することを特徴とするヘッドカバー。
【請求項９】
請求項１〜８のいずれかに記載のヘッドカバーであって、
前記ブーファントキャップ部は、外周部を含み、
前記ブーファントキャップ部の前記外周部に連続ギャザーが設けられていることを特徴とするヘッドカバー。
【請求項１０】
請求項９に記載のヘッドカバーであって、
前記ブーファントキャップ部の前記外周部の一部分は、前記サイドパネルの前記後部の身体対向面に固定されていることを特徴とするヘッドカバー。
【請求項１１】
請求項１〜１０のいずれかに記載のヘッドカバーであって、
前記サージカルキャップ部の前記上面は、前記着用者の頭部に接触することを特徴とするヘッドカバー。
【請求項１２】
請求項１〜１１のいずれかに記載のヘッドカバーであって、
前記ヘッドカバーの前記ブーファントキャップ部と、前記サージカルキャップ部の前記上面とは、互いに重なり合わないことを特徴とするヘッドカバー。
【請求項１３】
請求項１〜１２のいずれかに記載のヘッドカバーであって、
前記ヘッドカバーの前記ブーファントキャップ部は、それが展開されるまでは目視不可能であることを特徴とするヘッドカバー。
【請求項１４】
請求項１〜１３のいずれかに記載のヘッドカバーであって、
前記サージカルキャップ部の前記サイドパネルは、ラミネートを含むことを特徴とするヘッドカバー。
【請求項１５】
請求項１４に記載のヘッドカバーであって、
前記ラミネートは、スパンボンド−メルトブローン−スパンボンド材料を含むことを特徴とするヘッドカバー。
【請求項１６】
請求項１〜１３のいずれかに記載のヘッドカバーであって、
前記サージカルキャップ部の前記サイドパネルは、スパンボンド材料、または綿織物材料を含むことを特徴とするヘッドカバー。
【請求項１７】
請求項１〜１６のいずれかに記載のヘッドカバーであって、
前記サージカルキャップ部の前記上面は、スパンボンド材料、スパンボンド−メルトブローン−スパンボンド材料、または綿織物材料を含むことを特徴とするヘッドカバー。
【請求項１８】
請求項１〜１７のいずれかに記載のヘッドカバーであって、
前記ブーファントキャップ部は、スパンボンド材料を含むことを特徴とするヘッドカバー。
【請求項１９】
請求項１〜１８のいずれかに記載のヘッドカバーであって、
前記サイドパネルは、前記着用者の耳の位置を越えて延在することを特徴とするヘッドカバー。
【請求項２０】
請求項１９に記載のヘッドカバーであって、
前記サイドパネルの前記着用者の前記耳を覆う部分は、スパンボンド材料、スパンボンド−メルトブローン−スパンボンド材料、または綿織物材料を含むことを特徴とするヘッドカバー。
【請求項２１】
請求項１〜２０のいずれかに記載のヘッドカバーであって、
前記サイドパネルに１対の結び紐が配置されていることを特徴とするヘッドカバー。
【発明の詳細な説明】
【技術分野】
【０００１】
（関連出願）
本出願は、２０１７年８月１１日に出願された米国仮特許出願第６２／５４４、０４８号、及び２０１８年２月９日に出願された米国仮特許出願第６２／６２８、４５３号に基づく優先権を主張するものであり、当該特許出願の内容は、参照により本明細書に援用されている。
【０００２】
（技術分野）
本発明の対象は、概して、医療専門家が着用するヘッドカバー形状の個人防護具（ＰＰＥ：Personal Protective Equipment）に関連する。
【背景技術】
【０００３】
医療専門家は、医療処置中にしばしばサージカルキャップ（surgeon's cap）、ブーファントキャップ（すなわち、ヘアネット）、またはその両方を、血液や他の体液等の有害物との接触を防止するために着用する。さらに、医療専門家には、滅菌野を保護するために、サージカルキャップやブーファントキャップ（すなわち、ヘアネット）を着用して髪を覆うことがしばしば求められる。その上、看護師協会（ＡＯＲＮ：Association of Registered Nurses）のガイドラインが改正され、現在では、滅菌野を良好に維持するために、医療専門家だけでなく看護師にもヘッドカバーで頭、髪、耳、ひげ、及び首筋を覆うことが推奨されている。しかし、従来のサージカルキャップは、耳や首筋を覆っていないので、医療専門家にはこれらの領域を覆うためにブーファントキャップまたはヘアネットも着用することが必要である。ブーファントキャップによって、熱がこもり、かさばる個人防護具のさらなる層が追加される。さらに、ブーファントキャップには頭部の周囲にそれを固定するために弾性バンドが使われているので、使用後に額に赤い跡が残ることが多い。
【０００４】
一つの解決策として、ブーファントキャップとサージカルキャップの代わりに、ブーファントキャップのみを着用することがあげられる。しかし、ブーファントキャップは一般的に、医療専門家が使用するヘッドランプや他の装置を支持することができない。したがって、ブーファントキャップ及びサージカルキャップの両方を着用することが必要となる。サージカルキャップは、ヘッドランプや他の装置を支持するための十分なバルク及び構造を有する。それにもかかわらず、サージカルキャップの使用には問題が残る。つまり、通常のサージカルキャップは、数種類のサイズしか供給されていないので、多くの医療専門家に対してしっかりと十分なフィットを提供しない。さらに、サージカルキャップは、結び紐を備え、しっかりとフィットさせるように長時間にわたってサージカルキャップの結び紐を何度も結びなおすと、肩の痛みや他の問題につながり得る。
【０００５】
よって、従来のサージカルキャップ及びブーファントキャップに存在する前述した欠点を克服したヘッドカバーが必要である。具体的には、サージカルキャップと、頭部を完全に覆うブーファントキャップとを着用せずに医療専門家の髪を覆うヘッドカバーが有用であろう。
【発明の概要】
【課題を解決するための手段】
【０００６】
本発明はヘッドカバーに関連する。このヘッドカバーは、サージカルキャップ部（surgical cap portion）と、ブーファントキャップ部とを備える。サージカルキャップ部は、上面と、上面にシームを介して固定されたサイドパネルとを含む。さらに、ブーファントキャップ部は、サイドパネルの後部に固定されている。ブーファントキャップ部は、未展開状態でサイドパネルの後部に押し付けられるように保持され、着用者の髪を収容するためにサイドパネルの後部から展開可能である。
【０００７】
特定の一実施形態では、サイドパネルは、上面の外周部を完全に取り囲む連続した横断面を有する部材である。さらに、サイドパネルの下側縁部に、連続プリーツ、伸縮バンド、またはその両方が隣接して設けられている。さらに、連続プリーツ、伸縮バンド、またはその両方は、サイドパネルの後部、またはサイドパネルの耳部の下側に設けられている。
【０００８】
その上、連続プリーツ、伸縮バンド、またはその両方がサイドパネルの後部に設けられているとき、ブーファントキャップ部は、伸縮バンド、連続プリーツ、またはその両方の上側に距離Ｄをおいて配置されている。例えば、距離Ｄは、約０.２５ｃｍ（センチメートル）〜約６ｃｍの範囲である。
【０００９】
さらなる一実施形態では、ヘッドカバーのブーファントキャップ部が展開されるまで、ヘッドカバーのブーファントキャップ部を外部フラップが収容している。
【００１０】
さらなる他の実施形態では、サイドパネルは、第一端部と第二端部との間に延在し、第一端部または第二端部に締結手段が配置されている。さらに、締結手段は、フック、ループ、またはそれらの組み合わせを含み得る。
【００１１】
さらに他の実施形態では、ブーファントキャップ部は、外周部を含み、ブーファントキャップ部の外周部に連続ギャザーが設けられている。加えて、ブーファントキャップ部の外周部の一部分は、サイドパネルの後部の身体対向面に固定されている。
【００１２】
さらに他の実施形態では、サージカルキャップ部の上面は、着用者の頭部に接触している。
【００１３】
追加の実施形態では、ヘッドカバーのブーファントキャップ部と、サージカルキャップ部の上面とは、互いに重なり合わない。
【００１４】
さらなる一実施形態では、ヘッドカバーのブーファントキャップ部は、それが展開されるまでは目視不可能である。
【００１５】
特定の一実施形態では、サージカルキャップ部のサイドパネルは、ラミネートを含む。例えば、このラミネートは、スパンボンド−メルトブローン−スパンボンド材料である。
【００１６】
さらなる一実施形態では、サージカルキャップ部のサイドパネルは、スパンボンド材料、または綿織物材料を含む。
【００１７】
他の実施形態では、サージカルキャップ部の上面は、スパンボンド材料、スパンボンド−メルトブローン−スパンボンド材料、または綿織物材料を含む。
【００１８】
さらなる他の実施形態では、ブーファントキャップ部は、スパンボンド材料を含む。
【００１９】
さらに他の実施形態では、サイドパネルは、着用者の耳の位置を越えて延在する。さらに、サイドパネルの着用者の耳を覆う部分は、スパンボンド材料、スパンボンド−メルトブローン−スパンボンド材料、または綿織物材料を含む。
【００２０】
さらなる一実施形態では、サイドパネルに１対の結び紐が配置されている。
【００２１】
本発明のこれらの及び他の特徴、態様、及び利点は、以下の説明及び添付の特許請求の範囲を参照することにより、よりよく理解されるだろう。添付の図面は、本明細書に組み込まれ、本明細書の一部を構成し、本発明の実施形態を示し、本明細書と共に本発明の原理を説明するための役割を果たす。
【図面の簡単な説明】
【００２２】
最良の形態を含む本発明の完全かつ実施可能な開示は、当業者に向けて、添付の図面を参照して、本明細書で説明されている。
【００２３】
【図１】ヘッドカバーが着用され着用者の頭部の周囲に固定される前の、本発明の特定の一実施形態によるヘッドカバーの斜視図である。
【図２】着用者によって着用された後の、図１のヘッドカバーの側面図である。
【図３】ヘッドカバーのブーファントキャップ部がヘッドカバーのサージカルキャップ部の後部から展開された後の、図１及び図２のヘッドカバーの側面図である。
【図４】ヘッドカバーが着用者によって着用された後の、本発明の他の特定の一実施形態によるヘッドカバーの側面図である。
【図５】ヘッドカバーのブーファントキャップ部がヘッドカバーのサージカルキャップ部の後部から展開された後の、図４のヘッドカバーの側面図である。
【図６】ヘッドカバーが着用者によって着用された後の、本発明の他の特定の一実施形態によるヘッドカバーの側面図である。
【図７】ヘッドカバーのブーファントキャップ部がヘッドカバーのサージカルキャップ部のサイドパネルの後部から展開された後の、図６のヘッドカバーの側面図である。
【図８】図６のヘッドカバーの後部の一部の断面図であり、外部フラップとサイドパネルの固定後部とを含み、外部フラップが未展開状態のブーファントキャップ部を有し、固定後部が伸縮バンド及び連続プリーツを有する。
【図９Ａ】図８のサイドパネルの後部の身体対向面を示す図であり、着用者の頭部の周囲にヘッドカバーを固定するために使用する伸縮バンドを有する。
【図９Ｂ】図８のサイドパネルの固定後部の外側対向面を示す図であり、連続プリーツを有する。
【図１０】図８で示された、ヘッドカバーのブーファントキャップ部を取り付けられた外部フラップの身体対向面を示す図であり、ブーファントキャップ部が未展開状態で示されている。
【図１１】ヘッドカバーが着用者によって着用された後の、本発明の他の特定の実施形態によるヘッドカバーの側面図である。
【図１２】ヘッドカバーのブーファントキャップ部がヘッドカバーのサージカルキャップ部のサイドパネルの後部から展開された後の、図１１のヘッドカバーの側面図である。
【図１３】図１１のヘッドカバーの後部の身体対向面及び外側対向面（点線を参照）を示す図であり、ヘッドカバーのブーファントキャップ部が、未展開状態で示されている。
【図１４】ヘッドカバーが着用者によって着用された後の、本発明の他の特定の実施形態によるヘッドカバーの側面図である。
【図１５】図１４のヘッドカバーの後部の身体対向面を示す図であり、ヘッドカバーのブーファントキャップ部が、未展開状態で示されている。
【図１６】図１４のヘッドカバーのサイドパネルの身体対向面を示す図であり、ヘッドカバーのブーファントキャップ部が、未展開状態で示されている。
【図１７】ヘッドカバーのブーファントキャップ部がヘッドカバーのサージカルキャップ部の後部から展開された後の、本発明の他の特定の実施形態によるヘッドカバーの側面図であり、サイドパネルが１対の結び紐を有する。
【図１８】ヘッドカバーのブーファントキャップ部がヘッドカバーのサージカルキャップ部の後部から展開された後の、図１７のヘッドカバーの側背面図であり、サイドパネルが１対の結び紐を有する。
【図１９】ヘッドカバーのブーファントキャップ部がヘッドカバーのサージカルキャップ部の後部から展開された後の、図１７のヘッドカバーの背面図であり、サイドパネルが１対の結び紐を有する。
【図２０】ヘッドカバーのブーファントキャップ部がヘッドカバーのサージカルキャップ部の後部から展開された後の、本発明の他の特定の実施形態によるヘッドカバーの側面図であり、サイドパネルがそれの下側縁部に配置された１対の結び紐を有する。
【発明を実施するための形態】
【００２４】
本発明の実施形態を詳細に参照すると、１つまたは複数の例示が、図を用いて説明されている。各例示は、本発明の説明を目的として提供されており、本発明を限定するものではない。つまりは、様々な変更形態及び変形形態が、本発明の範囲または主旨から逸脱することなく、本発明として実施され得ることを当業者に理解されるだろう。例えば、一実施形態の一部として図示または説明された特徴は、さらなる別の実施形態を創出するために、別の実施形態で使用され得る。したがって、本発明は、添付の特許請求の範囲及びそれらの均等物の範囲内に入るような変更形態及び変形形態を包含することを意図している。
【００２５】
概して述べると、本発明は、医療専門家が着用するヘッドカバーに関連する。このヘッドカバーは、サージカルキャップ部（surgical cap portion）と、ブーファントキャップ部とを備える。このサージカルキャップ部は、上面と、シームを介して上面に固定されたサイドパネルとを含む。さらに、このブーファントキャップ部は、サイドパネルの後部に固定されている。このブーファントキャップ部はさらに、未展開状態でサイドパネルの後部に押し付けられるように保持され、着用者の髪を収容するためにサイドパネルの後部から展開することが可能である。そのため、このヘッドカバーは、ブーファントキャップ部が着用者の頭部全体を覆っていないにも関わらず、着用者が必要に応じて髪をブーファントキャップ部の内側で保護することを可能にしており、ヘッドカバー内にこもる熱を最小化し、着用者の快適度を増加する。さらには、ブーファントキャップ部がサージカルキャップ部の下側縁部にのみ存在しているので、ブーファントキャップ部は着用者の額に赤い跡を残さない。この赤い跡は、既存のヘッドカバーには付随する問題点である。その上、このヘッドカバーにはまた、サージカルキャップ部が組み込まれているので、着用者が医療処置中に頭部の周囲で着用することが必要となるヘッドランプや他の任意の装備品を十分に支えるような構造を有するが、一方でブーファントキャップを単独で使用すると、ずれるか、または不安定になり得るので、そのような装備品の使用が妨げられ得る。加えて、このヘッドカバーは、フック、ループ、またはそれらの組み合わせ等の締結手段を使用されているか、または苦痛なくぴったりとフィットするようにサージカルキャップ部の連続したサイドパネルに固定された伸縮バンドを有するので、ヘッドカバーを固定するために結び紐を使用する必要がなくなり、結び紐を結びなおす動作によって多くの医療専門家が経験する肩の痛みの発生を最小限にできる。本発明のヘッドカバーに固有の特徴は、図１−図１０を参照してより理解されるだろう。
【００２６】
図１を参照すると、本発明に基づいて考え出された一実施形態のヘッドカバー１００の、それが着用され、着用者の頭部の周囲に固定される前の状態が示されている。ヘッドカバー１００は、着用者の額の周囲に配置される前部１１８と、着用者の頭部または首の後ろの周囲に固定可能な後部１２０とを有する。ヘッドカバー１００はまた、サージカルキャップ部１０２と、ブーファントキャップ部１０４とを備える。サージカルキャップ部１０２は、上面１１４と、サイドパネル１１６とを含む。一実施形態では、上面１１４及びサイドパネル１１６は、上面１１４の外周部１４０を取り囲むシーム１０６で互いに結合されている。サイドパネル１１６は、第一端部１３０と第二端部１３２との間に延在している。第一端部１３０は、締結手段１１０を有し、それはフック、ループ、もしくはそれらの組み合わせの形状、またはテープ、接着剤等の他の任意の適切な締結機構であり得る。なお、締結手段１１０は、第一端部１３０に設けられているように図示されているが、締結手段１１０は、選択的に第二端部１３２に設けられているか、または第一端部１３０及び第二端部１３２の両方が締結手段１１０を有することも可能であることを理解されたい。
【００２７】
次にブーファントキャップ部１０４を参照すると、それは図１では未展開状態１０４ａで示されている。ブーファントキャップ部１０４は、連続ギャザー１０８を含み、サイドパネル１１６に押し付けられるように所定の位置で折り畳まれている。ブーファントキャップ部１０４は、サイドパネル１１６におけるヘッドカバー１００の後部１２０へ向かう位置に固定されており、かつサイドパネル１１６の下側縁部１４４に配置されている。着用者の髪を収容するためにブーファントキャップ部１０４を展開する方法は、図２及び図３でより詳細に説明する。
【００２８】
具体的には、図２は、図１のヘッドカバー１００が着用者１１２に着用された後の側面図であり、一方で図３は、図２のヘッドカバー１００のブーファントキャップ部１０４がヘッドカバー１００のサージカルキャップ部１０２の後部１２０から展開された後の側面図である。図２で示されているように、サイドパネル１１６は、第一端部１３０がヘッドカバー１００の後部１２０の付近でサイドパネル１１６に締結手段１１０を介して固定されるように、着用者１１２の頭部１４６の周囲に配置されている。さらに、ブーファントキャップ部１０４は、未展開状態１０４ａであり、それが目視不可能となるように、下側縁部１４４の位置でサイドパネル１１６の内側に収容されている。サイドパネル１１６の下側縁部１４４は、着用者１１２の頭部１４６を取り囲み、着用者１１２の耳１２２の一部を覆っている。
【００２９】
次に、図３では、ブーファントキャップ部１０４が展開状態１０４ｂとなるような、ブーファントキャップ部１０４が着用者１１２の髪を収容するために使用された後のヘッドカバー１００が示されている。図示のように、ブーファントキャップ部１０４は、ヘッドカバー１００のサージカルキャップ部１０２の外側に延出した髪を収容するために、サイドパネル１１６の下側縁部１４４を越えて延出している。ブーファントキャップ部１０４の外周部１４２は、ブーファントキャップ部１０４が着用者１１２の髪をしっかりと収容できるように、ある程度の弾力性を有するブーファントキャップ部１０４を形成する連続ギャザー１０８を含む。ブーファントキャップ部１０４は、それを着用者１１２の髪の周囲に固定するために、着用者１１２が連続ギャザー１０８をつまみ軽く下向きに引き出す等の任意の適切な方法で展開可能である。
【００３０】
図４は、他の実施形態のヘッドカバー２００が着用者１１２によって着用された後の側面図であり、一方で図５は、図４のヘッドカバー２００のブーファントキャップ部１０４がヘッドカバー２００のサージカルキャップ部１０２の後部１２０から展開された後の側面図である。図４で示されているように、サイドパネル１１６は、第一端部１３０がヘッドカバー２００の後部１２０の付近でサイドパネル１１６に締結手段１１０を介して固定されるように、着用者１１２の頭部１４６の周囲に配置されている。さらに、ブーファントキャップ部１０４は、未展開状態１０４ａであり、それが目視不可能となるように、下側縁部１４４の位置でサイドパネル１１６の内側に収容されている。サイドパネル１１６の下側縁部１４４は、着用者１１２の頭部１４６を取り囲み、かつ着用者１１２の耳１２２を全て覆うように設計されている。さらに、サイドパネル１１６は、耳部１２４を有する。耳部１２４は、サイドパネル１１６の他の部分とは異なる材料で形成され得る。例えば、耳部１２４は、ヘッドカバー２００を着用したときに、着用者１１２の聴覚を遮らないように、サイドパネル１１６の他の部分よりも薄い材料で形成され得る。
【００３１】
次に、上述の図３と同様に、図５では、ブーファントキャップ部１０４が展開状態１０４ｂとなるような、ブーファントキャップ部１０４が着用者１１２の髪を収容するために使用された後のヘッドカバー２００が示されている。図示のように、ブーファントキャップ部１０４は、ヘッドカバー２００のサージカルキャップ部１０２の外側に延出した髪を収容するために、サイドパネル１１６の下側縁部１４４を越えて延出している。ブーファントキャップ部１０４の外周部１４２は、ブーファントキャップ部１０４が着用者１１２の髪をしっかりと収容できるように、ある程度の弾力性を有するブーファントキャップ部１０４を形成する連続ギャザー１０８を含む。ブーファントキャップ部１０４は、それを着用者１１２の髪の周囲に固定するために、着用者１１２が連続ギャザー１０８をつまみ軽く下向きに引き出す等の任意の適切な方法で展開可能である。
【００３２】
図６は、ヘッドカバー３００が着用者１１２によって着用された後の側面図であり、一方で図７は、図６のヘッドカバー３００のブーファントキャップ部１０４がヘッドカバー３００のサージカルキャップ部１０２の後部１２０から展開された後の側面図である。図６で示されているように、このサイドパネル１１６には、図１−図５にあるような締結手段１１０がこのヘッドカバー３００を着用者１１２の頭部１４６に固定するためには不要となるような、着用者１１２の頭部１４６の周囲に配置される連続的な部材である。その代わりに、このヘッドカバー３００は、着用者１１２の頭部１４６の周囲にしっかりとフィットできるように、サイドパネル１１６の固定後部１３６に形成された伸縮バンド１３４及び連続プリーツ１２６を有する（図８、図９ａ、図９ｂ、及び図１０を参照）。さらに、ブーファントキャップ部１０４は、未展開状態１０４ａであり、その場合はそれが目視不可能であるように、下側縁部１４４の位置で外部フラップ１３８を介してサイドパネル１１６の内側に収容されている。図示のように、このサイドパネル１１６の下側縁部１４４は、着用者１１２の頭部１４６を取り囲み、着用者１１２の耳１２２の一部を覆うことができる。
【００３３】
次に、図７では、ブーファントキャップ部１０４が展開状態１０４ｂとなるような、ブーファントキャップ部１０４が着用者１１２の髪を収容するために使用された後のヘッドカバー３００が示されている。図示のように、ブーファントキャップ部１０４は、ヘッドカバー３００のサージカルキャップ部１０２の外側に延出した髪を収容するために、サイドパネル１１６の固定後部１３６の下側縁部１４４を越えて外部フラップ１３８の下側に延出している。ブーファントキャップ部１０４の外周部１４２には、ブーファントキャップ部１０４が着用者１１２の髪をしっかりと収容できるように、ある程度の弾力性を有するブーファントキャップ部１０４を提供する部分として連続ギャザー１０８が含まれている。ブーファントキャップ部１０４は、それを着用者１１２の髪の周囲に固定するために、着用者１１２が外部フラップ１３８の下部に手を伸ばし、連続ギャザー１０８をつまみ軽く下向きに引き出す等の任意の適切な方法で展開可能である。
【００３４】
図８、図９ａ、図９ｂ、及び図１０を参照すると、図６及び図７のサイドパネル１１６の固定後部１３６がより詳細に示されている。具体的には、図８は、図６のヘッドカバー３００の後部１２０の部分断面図であり、外部フラップ１３８と、サイドパネル１１６の固定後部１３６とを含む。外部フラップ１３８は未展開状態１０４ａのブーファントキャップ部１０４を有し、固定後部１３６は伸縮バンド１３４及び連続プリーツ１２６を有する。
【００３５】
図示のように、図８に示すように、ヘッドカバー３００のブーファントキャップ部１０４は、外部フラップ１３８の下側縁部１４５に隣接した位置で外部フラップ１３８の身体対向面１３８ａに対して折り畳まれるような未展開状態１０４ａにある。そのため、ブーファントキャップ部１０４が未展開状態１０４ａのとき、それは外部フラップ１３８の外側対向面１３８ｂ上においては外部から目視不可能である。未展開状態１０４ａのブーファントキャップ部１０４は、着用者１１２が髪を収容する必要があるときに、ブーファントキャップ部１０４が外部フラップ１３８と、サイドパネル１１６の固定後部１３６との間から容易に展開可能な状態であるならば、サイドパネル１１６の下側縁部１４５付近に、留め具や接着剤等の任意の適切な取付け手段１５４（図１０参照）を介して固定されている。さらに、固定後部１３６は、それの下側縁部１４４に隣接した位置で身体対向面１３６ａに配置された伸縮バンド１３４を有し、一方で連続プリーツ１２６は、固定後部１３６の外側対向面１３６ｂに形成されている。伸縮バンド１３４及び連続プリーツ１２６によって、ヘッドカバー３００を着用者１１２の頭部１４６の周囲に十分に固定することが可能になる。
【００３６】
図９ａ及び図９ｂを参照すると、図９ａでは、図６−図８のサイドパネル１１６の固定後部１３６の身体対向面１３６ａが示されている。身体対向面１３６ａは、着用者１１２の頭部１４６の周囲にヘッドカバー３００を固定するために使用される伸縮バンド１３４を有する。伸縮バンド１３４は、図９ｂで示されているように、連続プリーツ１２６をサイドパネル１１６の固定後部１３６の外側対向面１３６ｂに形成できるような方法（例えば、縫い付け）で、サイドパネル１１６の固定後部１３６の身体対向面１３６ａの下側縁部１４４に隣接して配置されている。これによって、頭部１４６にぴったりとフィットするヘッドカバー３００を獲得できる。まずは伸縮バンド１３４を引き伸ばすと、それに応じて連続プリーツ１２６が広がり、それによってヘッドカバー３００が調節され、その結果として個人ごとに異なる頭囲を有する着用者１１２の頭部１４６にフィットする。
【００３７】
図１０では、ヘッドカバー３００のブーファントキャップ部１０４を取り付けられた、図６−図８で示された外部フラップ１３８の身体対向面１３８ａが示されている。このブーファントキャップ部１０４は、未展開状態１０４ａを示している。未展開状態１０４ａのブーファントキャップ部１０４の連続ギャザー１０８は、上述のように、着用者１１２の髪を収容するために必要に応じてつまんで下向きに引き出すことが可能である。さらに、図１０で示されているように、未展開状態１０４ａのブーファントキャップ部１０４は、着用者１１２が髪を収容する必要があるときに、ブーファントキャップ部１０４が外部フラップ１３８と、サイドパネル１１６の固定後部１３６との間から容易に展開可能な状態であるならば、外部フラップ１３８の下側縁部１４５付近に、留め具や接着剤等の任意の適切な取付け手段１５４（図１０参照）を介して固定されている。
【００３８】
図１１−図１３を参照すると、さらなる実施形態のヘッドカバー４００が示されている。具体的には、図１１は、ヘッドカバー４００が着用者１１２によって着用された後だが、ブーファントキャップ部１０４が展開される前の、本発明の他の特定の実施形態によるヘッドカバー４００の側面図である。その一方で、図１２は、ヘッドカバー４００が着用者１１２によって着用された後であり、かつブーファントキャップ部１０４が展開された後の、本発明の他の特定の実施形態によるヘッドカバー４００の側面図である。ヘッドカバー１００、２００、及び３００と同様に、ヘッドカバー４００は、ブーファントキャップ部１０４に加えて、サージカルキャップ部１０２を備え、着用者１１２の額の周囲に配置された前部１１８と、着用者１１２の頭部１４６または首の後ろの周囲に配置された後部１２０とを有する。サージカルキャップ部１０２は、上面１１４と、サイドパネル１１６とを含む。一実施形態では、上面１１４及びサイドパネル１１６は、上面１１４の外周部１４０を取り囲むシーム１０６で互いに結合されている。さらに、ブーファントキャップ部１０４は、ヘッドカバー４００のサージカルキャップ部１０２の後部１２０でサイドパネル１１６の下側縁部１４４に隣接して配置され、ブーファントキャップ部１０４が外側対向面１１６ｂ上においては外部から目視不可能なように、サイドパネル１１６の身体対向面１１６ａに取付け手段１５４を介して固定されている。その上、図示のように、未展開状態１０４ａのブーファントキャップ部１０４は、サージカルキャップ部１０２の伸縮材１３４（伸縮バンド１３４）及び連続プリーツ１２６から互いに離間し、かつそれらの上側に配置されており、それらは、距離Ｄをおいてサイドパネル１１６の下側縁部１４４に隣接して配置されている。距離Ｄは、約０．２５ｃｍ（センチメートル）〜約６ｃｍ、例えば約０．５ｃｍ〜４ｃｍ、例えば０．７５ｃｍ〜２ｃｍ、例えば１ｃｍ〜１．５の範囲であり得る。本発明の発明者達によって、このような構造は、身体対向面１１６ａに設けられた伸縮材１３４、及び外側対向面１１６ｂに設けられた連続プリーツ１２６による干渉を最小化するので、ブーファントキャップ部１０４が容易に展開可能となることが見出された。
【００３９】
図１３では、図１１及び図１２のヘッドカバー４００の後部１２０の身体対向面１１６ａ及び外側対向面１１６ｂ（点線を参照）を、より詳細に示しており、ヘッドカバー４００のブーファントキャップ部１０４は、未展開状態１０４ａを示している。このサイドパネル１１６は、シーム１４８で結合されており、さらに重複部分１５０を有し得る。図示のように、伸縮材１３４は、身体対向面１１６ａに設けられており、その一方で、連続プリーツ１２６（点線を参照）は、サイドパネル１１６の下側縁部１４４の付近で外側対向面１１６ｂに設けられている。さらに、連続プリーツ１２６及び伸縮材１３４と、ブーファントキャップ部１０４との間の距離Ｄについて、より詳細に示している。
【００４０】
図１４−図１６を参照すると、他の実施形態のヘッドカバー５００が示されている。図１４は、ヘッドカバー５００が着用者１１２によって着用された後だが、ブーファントキャップ部１０４（不図示、図１５−図１６に記載）が展開される前の、本発明の他の特定の実施形態によるヘッドカバー５００の側面図である。ヘッドカバー５００は、サージカルキャップ部１０２を備え、そして着用者１１２の額の周囲に配置された前部１１８と、着用者１１２の頭部１４６または首の後ろの周囲に配置された後部１２０とを有する。サージカルキャップ部１０２は、上面１１４と、サイドパネル１１６とを含む。一実施形態では、上面１１４及びサイドパネル１１６は、上面１１４の外周部１４０を取り囲むシーム１０６で互いに結合されている。さらに、ブーファントキャップ部１０４は、ヘッドカバー４００のサージカルキャップ部１０２の後部１２０でサイドパネル１１６の下側縁部１４４に隣接して配置され、ブーファントキャップ部１０４が外側対向面１１６ｂ上においては外部から目視不可能となるように、サイドパネル１１６の身体対向面１１６ａに取付け手段１５４を介して固定されている（図１５参照）。
【００４１】
さらに、図示のように、連続プリーツ１２６は、サイドパネル１１６の耳部１２４の下側でサイドパネル１１６の下側縁部１４４に隣接し、サイドパネル１１６の外側対向面１１６ｂに設けられている。その上、図１５及び図１６を参照すると、サイドパネル１１６の身体対向面１１６ａが見えるように裏返されたヘッドカバー５００が示されている。伸縮材１３４は、連続プリーツ１２６と同様にサイドパネル１１６の耳部１２４の下側に位置するが、しかし身体対向面１１６ａに設けられている。このように、連続プリーツ１２６及び伸縮材１３４の両方は、サージカルキャップ部１０２の後部１２０に位置するブーファントキャップ部１０４から離間して配置されており、それによって伸縮材１３４及び連続プリーツ１２６がブーファントキャップ部１０４を干渉しないようになり、一方でそれと同時に着用者１１２の頭部１４６の周囲にヘッドカバー５００がしっかりとフィットするようになる。図１４−図１６で示されているように、ブーファントキャップ部１０４は、サイドパネル１１６に取付け手段１５４を介して取り付けられている。また、ブーファントキャップ部１０４は、伸縮材１３４及び連続プリーツ１２６に接触しない。なお、不図示ではあるが、図１４−図１６のブーファントキャップ部１０４は、上述したあらゆる方法で展開可能であることを理解されたい。
【００４２】
図１７−図１９を参照すると、本発明に基づいて考え出された他の実施形態のヘッドカバー６００が示されている。具体的には、図１７は、ヘッドカバー６００のサージカルキャップ部１０２の後部１２０で展開された展開状態１０４ｂのブーファントキャップ部１０４を示す、本発明の他の特定の実施形態によるヘッドカバー６００の側面図である。このサイドパネル１１６は、１対の結び紐１５６を有する。図１７では１本の結び紐１５６のみが示されているが、サイドパネル１１６の反対の部分にも結び紐１５６を有することを理解されたい。１対の結び紐１５６は、シーム１５８、または接着剤、面ファスナー、超音波接着、両面テープ等の他の任意の適切な取付け手段を介してサイドパネル１１６に固定されている。図１８は、ヘッドカバー６００のサージカルキャップ部１０２の後部１２０の周囲に固定された１対の結び紐１５６を示す、図１７のヘッドカバー６００の側背面図を示している。その一方で、図１９は、１対の結び紐１５６を用いてヘッドカバー６００が着用者１１２の頭部１４６にしっかりとフィットしたことで、サージカルキャップ部１０２の後部１２０でサイドパネル１１６が折り重なった一環として、どの程度シーム１４８がサージカルキャップ部１０２の全体の挙動に沿って見えなくなるかを示す、図１７のヘッドカバー６００の背面図である。
【００４３】
さらに、図２０は、本発明の他の特定の実施形態によるヘッドカバー７００の側面図であり、ヘッドカバー７００のサージカルキャップ部１０２の後部１２０で展開された展開状態１０４ｂのブーファントキャップ部１０４を示している。このサイドパネル１１６は、１対の結び紐１５６を有する。図２０では１本だけの結び紐１５６が示されているが、サイドパネル１１６の反対の部分にも結び紐１５６を有することを理解されたい。この１対の結び紐１５６は、シーム１５８、または接着剤、面ファスナー、超音波接着、両面テープ等の他の任意の適切な取付け手段を介してサイドパネル１１６の下側縁部１４４に固定されている。
【００４４】
あらゆる特定の方法に限定するような意図を含まずに、本発明の発明者達によって、１対の結び紐１５６が着用者１１２の頭部１４６でヘッドカバー６００をより強く固定できることが見出された。１対の結び紐１５６は、それによって張力を加え、同時にそれを強く締めすぎることで不快な状態としなければ、着用者１１２の額に接触するヘッドカバー６００を固定し、使用中にヘッドカバー６００が上下にずれることを防止するのに役立つと考えている。
【００４５】
本発明のヘッドカバー１００、２００、３００、４００、５００、及び６００のサージカルキャップ部１０２及びブーファントキャップ部１０４の特定の形態のいずれも、サージカルキャップ部１０２及びブーファントキャップ部１０４を形成するために使用する材料を、着用者１１２の快適度が最大になるように選ぶことが可能である。例えば、サージカルキャップ部１０２の上面１１４及びサイドパネル１１６は、以下に限定はされないが、空気積層法（air laying processes）、湿式積層法（wet laid processes）、水流交路法（hydroentangling processes）スパンボンド法、メルトブローン法、ステープルファイバーのカーディング及びボンディング、並びに溶液紡糸（solution spinning）を含む様々な不織の材料によって作製が可能である。不織材料それ自体における繊維は、以下に限定されないが、セルロース、レーヨン、ナイロン、ポリエステル、ポリオレフィン、及び他の材料を含む天然材料及び合成材料の両方から作製可能である。この繊維は、比較的短いステープル長さの繊維であり、通常は、７．６２ｃｍ（３インチ）未満であるか、またはスパンボンド法及びメルトブローン法等によって製造された、より長く概ねより連続した繊維であり得る。
【００４６】
特定の一実施形態では、サージカルキャップ部１０２の上面１１４及びブーファントキャップ部１０４は、ヘッドカバー１００、２００、及び３００内の空気の通りを良くしてこもる熱を最小化するために、スパンボンド材料によって形成され得る。さらに、サイドパネル１１６の耳部１２４は、同じくスパンボンド材料によって形成され得る。その一方で、サージカルキャップ部１０２のサイドパネル１１６は、医療専門家によって頭部の周囲に載せて着用される場合がある、ヘッドランプや他の任意の装備品を十分に支えるような構造を形成するために、互いに重なり合ってラミネート加工された３つの別の層から作製されたスパンボンド−メルトブローン−スパンボンド材料等のラミネート材料によって形成され得る。前述の材料の作製方法は、ブロックらによる米国特許第４、０４１、２０３号で知られており、また記載されており、参照によりその全体が本明細書に組み込まれている。ブロックらの材料は、スパンボンド層−メルトブローン層−スパンボンド層の３層をラミネート加工したものであり、一般的にはその頭文字から「ＳＭＳ」とも呼ばれている。ＳＭＳの外側の２つの層は、押出成形されたポリオレフィンの繊維またはフィラメントをランダムなパターンで堆積させ、その後に互いに結合させることにより作製されたスパンボンド材料である。内側の層は、一般的にはスパンボンド層の繊維と比較して小径な、押出成形されたポリオレフィンの繊維によって同様に作製されるメルトブローン層である。結果として、メルトブローン層は、それの細かい繊維構造によって遮蔽機能の増強をもたらしている。メルトブローン層は、バクテリア及び他の汚染物質の通過は防止するが、滅菌剤は繊維を介して通過させることができる。一方で、２つの外側のスパンボンド層によって、このラミネート全体における強度の大部分が提供されている。このラミネートは、その表面全体に渡って概ね一定に繰り返す接着パターンを好ましく用いた、断続的な接着パターンを使用して作製され得る。この接着パターンは、接着剤がラミネートの表面積の約５パーセントから約５０パーセントを占め得るように選択されている。接着剤によって、このラミネートの表面積の約１０パーセントから約３０パーセントを占めることが望ましい。なお、ヘッドカバー１００、２００、及び３００は、スパンボンド材料及びＳＭＳ材料の組み合わせによって形成されていると上述したが、ヘッドカバー１００、２００、及び３００の様々な部分が、必要に応じて、こもる熱を最小限にするが、着用者１１２が医療処置中に頭部の周囲で着用することが必要となるヘッドランプや他の任意の装備品を十分に支えるような構造を形成する他の任意の適切な材料によって作製され得ることを理解されたい。例えば、上述のスパンボンド材料またはＳＭＳ材料に加えて、サージカルキャップ部１０２の任意のまたは全ての部分（例えば、上面１１４、サイドパネル１１６、及び／または耳部１２４）が、綿織物材料によって形成され得る。
【００４７】
本明細書は、本発明を開示するために最良の形態を含む例示を使用しており、またあらゆる当業者が、あらゆるデバイス及びシステムを作製及び使用すること、並びにあらゆる包含された方法を実行することを含めて、本発明を実施可能としている。本発明の特許請求の範囲は、請求項によって定義されており、当業者の想定する他の実施例を含み得る。そのような他の実施例が、請求項の文字表記と同じ構造的な要素を含んでいる場合、または請求項の文字表記から実質的に差がない同等の構造的な要素を含む場合でも、本発明の請求項の範囲内であることを意図している。
【図１】
2019532190.tif 000003
【図２】
2019532190.tif 000004
【図３】
2019532190.tif 000005
【図４】
2019532190.tif 000006
【図５】
2019532190.tif 000007
【図６】
2019532190.tif 000008
【図７】
2019532190.tif 000009
【図８】
2019532190.tif 000010
【図９Ａ】
2019532190.tif 000011
【図９Ｂ】
2019532190.tif 000012
【図１０】
2019532190.tif 000013
【図１１】
2019532190.tif 000014
【図１２】
2019532190.tif 000015
【図１３】
2019532190.tif 000016
【図１４】
2019532190.tif 000017
【図１５】
2019532190.tif 000018
【図１６】
2019532190.tif 000019
【図１７】
2019532190.tif 000020
【図１８】
2019532190.tif 000021
【図１９】
2019532190.tif 000022
【図２０】
2019532190.tif 000023
【手続補正書】
【提出日】平成31年1月16日(2019.1.16)
【手続補正１】
【補正対象書類名】特許請求の範囲
【補正対象項目名】全文
【補正方法】変更
【補正の内容】
【特許請求の範囲】
【請求項１】
ヘッドカバーであって、
サージカルキャップ部と、
ブーファントキャップ部とを備え、
前記サージカルキャップ部は、上面と、前記上面にシームを介して固定されたサイドパネルとを含み、
前記サージカルキャップ部の前記上面は、スパンボンド材料、スパンボンド−メルトブローン−スパンボンド材料、または綿織物材料を含み、
前記ブーファントキャップ部は、前記サイドパネルの後部に固定され、
前記ブーファントキャップ部はさらに、未展開状態で前記サイドパネルの前記後部に押し付けられるように保持され、着用者の髪を収容するために前記サイドパネルの前記後部から展開可能であることを特徴とするヘッドカバー。
【請求項２】
請求項１に記載のヘッドカバーであって、
前記サイドパネルは、前記上面の外周部を完全に取り囲む連続した横断面を有する部材であり、
さらに、前記サイドパネルの下側縁部に、連続プリーツ、伸縮バンド、またはその両方が隣接して設けられていることを特徴とするヘッドカバー。
【請求項３】
請求項２に記載のヘッドカバーであって、
前記連続プリーツ、前記伸縮バンド、またはその両方は、前記サイドパネルの前記後部、または前記サイドパネルの耳部の下側に設けられていることを特徴とするヘッドカバー。
【請求項４】
請求項３に記載のヘッドカバーであって、
前記連続プリーツ、前記伸縮バンド、またはその両方は、前記サイドパネルの前記後部に設けられており、
さらに、前記ブーファントキャップ部は、前記伸縮バンド、前記連続プリーツ、またはその両方の上側に距離Ｄをおいて配置されていることを特徴とするヘッドカバー。
【請求項５】
請求項４に記載のヘッドカバーであって、
前記距離Ｄは、約０．２５ｃｍから約６ｃｍまでの範囲であることを特徴とするヘッドカバー。
【請求項６】
請求項１〜５のいずれかに記載のヘッドカバーであって、
前記ヘッドカバーの前記ブーファントキャップ部が展開されるまで、前記ヘッドカバーの前記ブーファントキャップ部を外部フラップが収容していることを特徴とするヘッドカバー。
【請求項７】
請求項１〜６のいずれかに記載のヘッドカバーであって、
前記サイドパネルは、第一端部と第二端部との間に延在し、
前記第一端部または前記第二端部に締結手段が配置されていることを特徴とするヘッドカバー。
【請求項８】
請求項７に記載のヘッドカバーであって、
前記締結手段は、フック、ループ、またはそれらの組み合わせを有することを特徴とするヘッドカバー。
【請求項９】
請求項１〜８のいずれかに記載のヘッドカバーであって、
前記ブーファントキャップ部は、外周部を含み、
前記ブーファントキャップ部の前記外周部に連続ギャザーが設けられていることを特徴とするヘッドカバー。
【請求項１０】
請求項９に記載のヘッドカバーであって、
前記ブーファントキャップ部の前記外周部の一部分は、前記サイドパネルの前記後部の身体対向面に固定されていることを特徴とするヘッドカバー。
【請求項１１】
請求項１〜１０のいずれかに記載のヘッドカバーであって、
前記サージカルキャップ部の前記上面は、前記着用者の頭部に接触することを特徴とするヘッドカバー。
【請求項１２】
請求項１〜１１のいずれかに記載のヘッドカバーであって、
前記ヘッドカバーの前記ブーファントキャップ部と、前記サージカルキャップ部の前記上面とは、互いに重なり合わないことを特徴とするヘッドカバー。
【請求項１３】
請求項１〜１２のいずれかに記載のヘッドカバーであって、
前記ヘッドカバーの前記ブーファントキャップ部は、それが展開されるまでは目視不可能であることを特徴とするヘッドカバー。
【請求項１４】
請求項１〜１３のいずれかに記載のヘッドカバーであって、
前記サージカルキャップ部の前記サイドパネルは、ラミネートを含むことを特徴とするヘッドカバー。
【請求項１５】
請求項１４に記載のヘッドカバーであって、
前記ラミネートは、スパンボンド−メルトブローン−スパンボンド材料を含むことを特徴とするヘッドカバー。
【請求項１６】
請求項１〜１３のいずれかに記載のヘッドカバーであって、
前記サージカルキャップ部の前記サイドパネルは、スパンボンド材料、または綿織物材料を含むことを特徴とするヘッドカバー。
【請求項１７】
請求項１〜１６のいずれかに記載のヘッドカバーであって、
前記ブーファントキャップ部は、スパンボンド材料を含むことを特徴とするヘッドカバー。
【請求項１８】
請求項１〜１７のいずれかに記載のヘッドカバーであって、
前記サイドパネルは、前記着用者の耳の位置を越えて延在することを特徴とするヘッドカバー。
【請求項１９】
請求項１８に記載のヘッドカバーであって、
前記サイドパネルの前記着用者の前記耳を覆う部分は、スパンボンド材料、スパンボンド−メルトブローン−スパンボンド材料、または綿織物材料を含むことを特徴とするヘッドカバー。
【請求項２０】
請求項１〜１９のいずれかに記載のヘッドカバーであって、
前記サイドパネルに１対の結び紐が配置されていることを特徴とするヘッドカバー。
【国際調査報告】
2019532190.tif 000024
2019532190.tif 000025